(57)【要約】【課題】  扉の安全な出入りを可能にすること。【解決手段】  扉を複数設け、ｉ枚目の扉をロック開錠できるようにし、ｉ枚目の扉と（ｉ＋１）枚目の扉を連動させ、ｉ枚目の扉が開いている間、（ｉ＋１）枚目の扉は開かないようにし、ｉ枚目の扉が完全に閉まった後、（ｉ＋１）枚目の扉を開けるようにし、且つｉ枚目と（ｉ＋１）枚目の扉の空間が所定の数の人しか入れないように空間を限定する。【選択図】        図３
2014129703.tif 000002
【特許請求の範囲】
【請求項１】
扉を複数設け、ｉ（ｉは整数）枚目の扉をロック開錠できるようにし、ｉ枚目の扉と（ｉ＋１）枚目の扉を連動させ、ｉ枚目の扉が開いている間、（ｉ＋１）枚目の扉は開かないようにし、ｉ枚目の扉が完全に閉まった後、（ｉ＋１）枚目の扉を開けるようにし、且つｉ枚目と（ｉ＋１）枚目の扉の空間が所定の数の人しか入れないように空間を限定することを特徴とする防犯扉。
【発明の詳細な説明】
【技術分野】
【０００１】
本発明は安全に特定の人が出入りすることができる防犯扉に関する。
【背景技術】
【０００２】
部屋又は建物は扉で仕切られているのが普通である。この種の扉としては、例えば回転式とかスライド式の扉が使用されている。図１は回転式の扉の公知例を示す図である。パーティション１の一部に円筒形ガラス２を設け、該円筒形ガラス２の中心３に回転軸とモータを設け、この回転軸を中心にモータで回転するガラスドア４を設けたものである。図に示すように、人５はガラスドア４が開いている時にその中に入り、ガラスドア４が開いている時に部屋又は建物の中に入る。
【０００３】
図２はスライド式の扉の公知例を示す図である。この例はスライド式のオートロック扉を示してある。パーティション１にスライド式扉６を設け、暗証番号ボタン７を押すことにより、扉６を開き特定登録者８が部屋又は建物内に入ることができる。
【発明の概要】
【発明が解決しようとする課題】
【０００４】
図１に示す回転式扉の場合、六本木ヒルズ等で部屋又は建物に入る人５が回転扉４に挟まれて死亡する事故が各地で多発しており、危険である。また、オートロック式にできない上、回転扉内に複数人が入れるので、防犯上も危険である。
【０００５】
図２に示すオートロック式の扉の場合、扉６が開いている間に不特定の他人９が登録者８の後についていけば扉６が開いているので建物又は部屋に侵入することができる。従って、防犯上無防備となる。また、一枚の扉による開閉動作なので風防することができず、寒気や暖気が室内１０に入り、空調効果が低下するという問題がある。
本発明はこのような課題に鑑みてなされたものであって、不特定の人は室内に入れないようにした安全扉を提供することを目的としている。
【課題を解決するための手段】
【０００６】
前記した課題を解決する本発明は、扉を複数設け、ｉ枚目の扉をロック開錠できるようにし、ｉ（ｉは整数）枚目の扉と（ｉ＋１）枚目の扉を連動させ、ｉ枚目の扉が開いている間、（ｉ＋１）枚目の扉は開かないようにし、ｉ枚目の扉が完全に閉まった後、（ｉ＋１）枚目の扉を開けるようにし、且つｉ枚目と（ｉ＋１）枚目の扉の空間が所定の数の人しか入れないように空間を限定することを特徴とする。
【発明の効果】
【０００７】
従来のオートロック式では追随侵入者防止が不可能であったが、この追随侵入者の侵入を確実に防止し、かつ風防作用があり、且つドアに挟まれることがなく安全でローコストである上、脱出は迅速にできる。
【図面の簡単な説明】
【０００８】
【図１】公知の回転ドアの例を示す図
【図２】公知のスライド式オートロック扉の例を示す図
【図３】本発明の防犯扉の実施例を示す平面図
【図４】本発明電気回路の実施例を示す図
【発明を実施するための形態】
【０００９】
以下、図面を参照して本発明の実施例を詳細に説明する。図３は本発明の一実施例を示す防犯扉の平面図である。壁１の開口部に扉１１及び１２を設け、それぞれヒンジ１３及び１４により支えられ、開閉する。扉１１と扉１２はそれぞれロック１５及び１６によりロックされている。ロックの形状は、扉が開かないものであれば、どのようなものであってもよい。以下の実施例では、電気式のロック機構を用いている。
入口には暗証番号を押すボタン７があり、特定の人８が暗証番号によりボタン７を押すと第１の扉１１のロックが１５が外れ、第１の扉１１を開けられるので、特定の人８は第１の扉１１と第２の扉の間の空間１７に入ることができる。
【００１０】
ここで、不特定の人９が第１の扉１１が開いている間に入ろうとしても、第１の扉１１と第２の扉１２の空間は一人程度しか入れない狭い空間なので、特定の人８しか入ることができず、不特定の人９は入るスペースがないので入れない。例え入ったとしても、特定の人８と不特定の人９が第１の扉１１と第２の扉１２の狭いスペース１７に一緒に入るので、特定の人８が不特定の人９を認識し又は問ただし、入らないように排除することができる。
【００１１】
本発明によれば、第１の扉１１と第２の扉１２との間のスペース１７に第２扉用スイッチ１８を設け、スペース１７に入った人がスイッチ１８を押すと第２の扉１２のロック１６が外れるので、扉１２を開けて室内に入ることができる。そして、外に出る時はロック１６を外して第２の扉１２を開き、迅速に外へ出ることができる。１９はこれら動作を制御する電気回路である。
【００１２】
本発明はこのような構成になっているため、図２の公知のオートロックのように不特定の人が侵入することを防止することができ、且つスペース１７が風防室も兼ねており、扉１１又は１２のどちらかの扉が閉まっているので、寒気や暖気の侵入が無いので空調効率が良く、またドアは１枚ずつ開けるので図１に示すようにモータ３と回転扉４により人が挟まれるような事故は発生しない。
【００１３】
図４は図３における電気回路１９の構成例を示す図である。図において、２１は第１の扉１１開閉用のリレー、２０は第２の扉１２開閉用のリレーである。２２はこれらリレー２０，２１を駆動する交流電源、２３はリレー回路がオンになっていることを示すランプである。このように構成された装置の動作を説明すれば、以下の通りである。
【００１４】
特定の人が押しボタン7を押すと、リレー２１のａ接点（共通接点）が解放され、リレー２０のａ接点がｃ接点と接続される。この結果、リレー２１のａ接点とｂ接点間に電圧が印加され、第１の扉１１のロック１５が解除され開く。この時リレー２０のａ接点はｃ接点と接続されているので、リレー２０は解放となる。この時、リレー２１がオンになったことを示すランプ２３が点灯する。そして、特定の人は第１の扉１１を開けてスペース１７内に入ることができる。
第１の扉１１が完全に閉まると、リレー２１の接点ａはｃ接点と接続され、リレー２０のａ接点は解放となる。今度はスペース内部に設けられた押しボタン１８を押す。この結果、リレー２０のａ接点が解放される。この時、リレー２１はａ接点がｃ接点と接続されているため、リレー２０のａ接点とｂ接点間にリレーのループが形成され、ランプ２３が点灯する。この時、リレー２０にはａ接点とｂ接点間に電圧が印加され、ロック１５が解除され、特定の人は扉１２を開けて室の中に入ることができる。本発明によれば、スペース１７は特定の人が一人しか入る空間しか無いので、侵入者は中に入ることができない。
【００１５】
一方、特定の人８が外に出る時、図示しない室内に設けられた押しボタンを押す。この結果、リレー２０はａ接点が解放となる。リレー２１はａ接点がｂ接点と接続され、リレー２０のａ接点とｃ接点間に電圧が印加され、ランプ２３が点灯し、リレー２０によりロック１６が解除され、登録者８は第２の扉１２を開くことができる。特定の人８はスペース１７の中に入る。
【００１６】
次に、第２の扉１２が閉まると、リレー２０のａ接点はｂ接点と接続される。次に、特定の人８が押しボタン１８を押すと、リレー２１のａ接点はｂ接点と接続され、リレー２１のａ接点とｃ接点間に電圧が印加される。そして、リレーのループが形成され、ランプ２３が点灯し、リレー２１のロック１５が解除され、第１の扉１１を開いて外に出ることができる。このように、本発明では電気ロック１５は暗証番号により開き、第１の扉が１１が開いている間は第２の扉１２の電気ロック１６が効き、第１の扉１１が閉まり、且つ第２の扉スイッチ１８が押された時のみ第２の電気ロック１６が解除されるように構成されている。
【００１７】
上述の実施例では、扉が２枚の場合を例にとったが、本発明はこれに限るものではない。扉の枚数を３枚以上にすることができる。扉の枚数が増えると、更に防犯性能を向上させることができる。本発明では、扉の枚数に制限は設けないが、実用上は扉の枚数が３枚あれば、十分な防犯機能を実現することができる。
上記は本発明の一実施例であって、例えば第１の扉をスライド式オートロックとしたり、この他全部のドアをスライド式にしたり、種々の組み合わせや電気回路の変更も考えられるが、これらは何れも本発明に含まれるものである。
【産業上の利用可能性】
【００１８】
本発明は、扉の防犯性能を高く設定する必要のある扉に適用することができる。
【符号の説明】
【００１９】
１      壁
２      円筒形ガラス
３      回転軸とモータ
４      回転扉
５      入る人
６      スライド式扉
７      暗証ボタン
８      登録されている人
９      登録されていない人
１０    室内
１１    本発明の第１の扉
１２    本発明の第２の扉
１３    扉１１のヒンジ
１４    扉１２のヒンジ
１５    扉１１のロック
１６    扉１２のロック
１７    第１の扉１１と第２の扉１２の間のスペース
１８    押しボタン
１９    第１の扉１１と第２の扉１２を制御する電気回路
【図１】
2014129703.tif 000003
【図２】
2014129703.tif 000004
【図３】
2014129703.tif 000005
【図４】
2014129703.tif 000006